(57)【要約】【課題】  豪雪地帯における屋根上の積雪を除去することは、避けることのできない作業である。  本発明は傾斜を持っている切妻屋根上の積雪を、人力以外の動力を使うことなく屋根に上らず地上で安全に雪降ろしを可能とさせる操作が簡単な雪降ろし装置である。【解決手段】  屋根上に滑雪シートを格納したドラムを設置し、新雪が積雪となったら滑雪シートを格納ドラムから積雪下部に潜り込ませて軒下まで進ませることで、屋根の傾斜と滑雪シート及びそれを広げる滑車機構とにより、積雪を安全にかつ確実に滑り落とさせるというものである。【選択図】  図１
2007254991.tif 000002
【特許請求の範囲】
【請求項１】
切妻屋根上に積もった雪の下に棟側から滑雪シートを潜り込ませ、滑雪シートに取り付けたワイヤを地上にて巻き取り、滑雪シートを両側ガイドに沿って軒先部分まで引き出すことができるようにすることで、積雪を安全にかつ確実に滑り落とすことができる雪降ろし装置。
【請求項２】
地上での手動のハンドル操作で滑雪シートを軒先まで展開でき、展開後巻き取られた滑雪シートを格納する格納ドラムを棟側部分に有するものであり、また地上において手動のハンドル操作で滑雪シートを格納することができる雪降ろし装置。すなわち、動作において一切人力以外の動力を使わない装置。
【請求項３】
展開した滑雪シートの後方部（棟側）には、表面に突起物が用意されており、この突起物により確実に前方に雪を押し出させる仕組みが用意されている装置。
【発明の詳細な説明】
【技術分野】
【０００１】
本発明は傾斜を持っている切妻屋根上の積雪を、人力以外の動力を使わず地上で人が操作することにより、安全に雪降ろしを可能とさせる操作が簡単な雪降ろし装置である。
【背景技術】
【０００２】
高齢化が進む豪雪地帯において、積雪はそこに住む住民の人命や経済面で大きな脅威となっている。雪降ろし時の危険要因と経済負担を最小に抑えることのできる屋根雪降ろし装置は今後ますます必須のものであると考えた。
そこで、屋根の傾斜と滑雪シートおよび滑車機構を利用した簡単な仕組みにより、人力以外の動力を使わず、積雪を安全にかつ手軽に屋根から滑り落とさせる雪降ろし装置が必要と考え考案したものである。
【発明の開示】
【発明が解決しようとする課題】
【０００３】
豪雪地帯においては屋根に積もった雪を降ろさなければならなくなることがあり、その雪降ろし作業は一般的には屋根上でスコップやスノッパーを使っての、高所危険作業となる。屋根という足場の悪い作業ということもあり屋根から落下し、一冬に多くの人命がこの作業によって失われているという事態が２１世紀になった現在でも発生している。
この高所危険作業を行わず、地上で簡易な操作により屋根雪を安全にかつ確実に降ろす
ことができる装置が必要と考えた。
【０００４】
発熱や温水を使った融雪装置を屋根に取り付けることで、屋根に上って雪降ろしをする回数を減らすことはできても、大雪の場合はその雪質や屋根上の状態により融雪装置の効果が少なくなることもある。
【０００５】
また、融雪装置稼動のためのエネルギー消費による経済負担や地球環境への影響も考慮するべき問題である。そのため、人力による但し体に負担がかからず簡単操作で雪降ろし作業を実現できるものが必要と考えた。
【課題を解決するための手段】
【０００６】
本発明は、２ｍ〜３ｍの幅の滑雪シートを格納したドラムを屋根上部（棟部分）に屋根幅に合わせて必要な数だけ設置しておき、新雪が積雪となったら格納されている滑雪シートを地上からの操作で引き出す。
【０００７】
滑雪シート両端にはシートを案内するガイドが棟から軒先まで設置してあり、その両端のガイド内に通した２本のワイヤとシート中央に取り付けたワイヤ、合計３本のワイヤを滑車を利用し地上操作にてまとめて１個のドラムに巻き取り滑雪シートを前進させる。
【０００８】
前進した滑雪シートが軒先側の積雪下部から軒先に現れた段階で、滑雪シート上の積雪は滑り易さと屋根の傾斜のため重力で軒先に向かって滑り出し地面に落下する。
【０００９】
滑雪シートガイドが屋根の端に位置する部分の考慮は必要ないが、並行するもう一方のガイド近くの積雪は滑雪シート上にある積雪と接するため、そのガイド上部に滑雪シートと同時に前進する薄い金属板を突き出させておき、滑雪シート上の雪とそれ以外の側面の雪とを滑雪シートの前進に合わせて切り離していく。
【００１０】
また、積雪下部を進む滑雪シートがスムーズに前進していくために、滑雪シート先端に薄い金属板を取り付けておき、前方の雪を切り進みやすくしている。
【００１１】
滑雪シート格納ドラムが設置されている部分は棟を境としてもう一方の屋根雪とも接する。積雪は接触面があると雪同士が離れにくいので、この部分での雪同士の接触も切り離しておく必要がある。そのため滑雪シート格納ドラムと同じ幅で棟上部に沿って雪切り離し用の板を取り付けておく。その板にも滑雪シートを貼り付けておき、板に着雪しにくくしておく。
【００１２】
積雪下部を進み軒先部分まで展開された滑雪シート上の雪が滑り落ちた後、滑雪シートを元の格納ドラムに戻す必要がある。滑雪シートを格納ドラムに巻き取るためのワイヤを
格納ドラムの心棒に巻きつくようにしておくことで、滑雪シートが軒先に向かって引き出されるときに巻き取り用のワイヤが格納ドラムの心棒に巻きつけられて行く。
【００１３】
地上の家屋壁面に取り付けた巻き取りハンドルを回すことによって格納ドラムの心棒に巻きついているワイヤを延ばすことになり、滑雪シートを巻き取る心棒を逆方向に回転させることができる。その回転により、展開されていた滑雪シートそのものを巻き取り、格納ドラム内に格納させることができる。
【発明を実施するための最良の形態】
【００１４】
長期間積雪状態で放置し凍った積雪の場合、滑雪シートを積雪下部に潜り込ませて前進させることはできないため、新雪が降ったすぐ後に本装置を稼動させる必要がある。
【００１５】
本装置は、言わば日よけシートと同様の扱いを目的としたものであり、雪が少し積もったら滑雪シートを地上にてこまめに広げたり巻き取ったりすることを行うことで、力をあまり使わずいつでも屋根雪の状態を少量にしておくことを目的としているものである。
【実施例】
【００１６】
図１は本装置を屋根の一部に設置したとして、屋根上部斜め前方から本装置を見た場合の全体図である。棟側に設置した滑雪シート格納ドラム１内にある滑雪シート２を地上で滑雪シート引出し用ワイヤ巻取り部３の回転ハンドルを回し引き出している状態を示している。
【００１７】
図１の滑雪シート２の先端部分は薄い雪切り用金属板１４が取り付けてあり前方の積雪を切り進みやすくしている。
【００１８】
図１で見た場合、向かって右側ガイド部６より右側にある雪と滑雪シート上部の雪が接触する部分を切り離すために薄い金属板７を取り付けておく。この薄い金属板７は、滑雪シートと同時に前方に進むため、接する積雪を滑雪シート上の雪と切り離していく。
図１向かって左側のガイド部は屋根の端にあるため上記のような雪切り用の金属板を取り付ける必要はない。
【００１９】
図２は屋根に設置した本装置を真上から見下ろした状態の正面図である。６と８は滑雪シートを軒先まで案内するガイドバーである。このガイドの中に滑雪シート先端部両端を接続させたワイヤ９と１０が通っており、このワイヤと滑雪シート中央部に接続させたワイヤ１１の合計３本のワイヤによって滑雪シートを前方に引っ張り出すものである。
【００２０】
これら３本のワイヤは途中複数の滑車を経由して家屋壁面に取り付けられた巻取り装置部図１の３に巻き取られていくものである。
【００２１】
図３は本装置の主要部である滑雪シートを格納する円筒形格納ドラム１の右側部分である。この格納ドラムにはスリット５が切られており、このスリット５から滑雪シートを出し入れする。
【００２２】
本装置未使用時はこの格納ドラム内に滑雪シートが完全に納められた状態になっている。
ガイドと接続する滑雪シート先端部分には雪切り離し用の薄い金属板７が固定してあり、ガイド６に沿って滑雪シートと同時に動く。
【００２３】
滑雪シートが展開していき、先端部分が軒先の５ｃｍ手前に来たときに、滑雪シートにあらかじめ取り付けておいた突起物が格納ドラムから現れるようにしてある。突起の高さは格納ドラムのスリットを通過できる程度の高さに調整してある。この突起によって雪が滑り出さなかった場合の後押しをさせることにより、雪は確実に滑雪シートを滑り出し、地面に落下を始めることになる。
【００２４】
図４は本装置の円筒形格納ドラム１の左側部分である。滑雪シート２を巻きつけてある心棒を左側に突出させてあり、その突出部分には滑雪シート巻き取り用ワイヤ１２が滑雪シート展開時に巻きつけられるようになっている。
【００２５】
地上で操作可能な「滑雪シート巻取り用ワイヤ巻取り部」図１の４の回転により上記ワイヤが巻き取られることで、心棒がシート展開時の反対に回転し、滑雪シート２が格納ドラム１に格納される。同時に引き出し用のワイヤ３本も元の位置に戻される。
【００２６】
図５は両屋根の見える家屋側面から本装置を見た図である。積雪時の本装置の配置がわかり、滑雪シート引出しと巻き取りの機構概要が把握できる図となっている。
【００２７】
棟の上部には棟を境にして左側の屋根との積雪を切り離しておくため、降雪時期になったら着雪しにくい滑雪シートを貼り付けた積雪分離板１３を図のように設置しておく。
【００２８】
滑雪シートの引き出しと巻き取りに利用する滑車機構については詳細を記述していないが、ワイヤを通す無理のない配置と複数の滑車の組み合わせを選択することで、各種の家屋の形態に合わせて設置すればよいと考える。
【図面の簡単な説明】
【００２９】
【図１】本装置のみ設置状態での実施状況を示す説明図
【図２】屋根上に設置した状態での本装置の正面図
【図３】滑雪シート格納ドラム右側部分の説明図
【図４】滑雪シート格納ドラム左側部分の説明図
【図５】滑雪シート引出し・巻取り構造の説明図
【符号の説明】
【００３０】
滑雪シート格納ドラム  ２、滑雪シート  ３、滑雪シート引出し用ワイヤ巻取り部
４、滑雪シート巻取り用ワイヤ巻取り部  ５、滑雪シート格納ドラムスリット
６、ガイドバー  ７、雪切り離し用金属板  ８、ガイドバー  ９、引出し用ワイヤ
１０、引出し用ワイヤ  １１、引出し用ワイヤ  １２、巻取り用ワイヤ  
１３、積雪分離板  １４、雪切り用金属板
【図１】
2007254991.tif 000003
【図２】
2007254991.tif 000004
【図３】
2007254991.tif 000005
【図４】
2007254991.tif 000006
【図５】
2007254991.tif 000007